(57)【要約】【課題】相間絶縁部材と固定子巻線との間の空間を広くするとともに、相間絶縁部材の変形や移動を抑制する技術を提供する。【解決手段】スロット１２５内には、固定子巻線１４０と相間絶縁部材１５０が挿入されている。相間絶縁部材１５０は、絶縁シート１５１を折り曲げることによって形成され、封止部分１５０ａ、接続部分１５０ｂおよび相間絶縁部分１５０ｃを有する。封止部分１５０ａは、周方向に隣接するティース１２２のティース先端部１２４の端部１２４ｂ間を跨ぐように周方向に沿って延在し、スロット開口部１２５ａを塞ぐ。相間絶縁部分１５０ｃは、封止部分１５０ａとヨーク１２１の間に径方向に沿って延在し、異なる相の固定子巻線１４０間に配置される。接続部分１５０ｂは、封止部分１５０ａの、周方向に沿った一方側の端部と、相間絶縁部分１５０ｃの、径方向に沿った回転中心側の端部を接続する。【選択図】図２
2017093096.tif 000002
【特許請求の範囲】
【請求項１】
固定子コアを備え、前記固定子コアは、軸方向に直角な断面で見て、周方向に沿って延在するヨークと、前記ヨークから径方向に沿って回転中心側に延在する複数のティースと、周方向に隣接する前記ティースにより形成され、当該周方向に隣接するティース間にスロット開口部を有する複数のスロットを有し、前記スロット内に、固定子巻線と、異なる相の固定子巻線を絶縁する相間絶縁部材が挿入されている固定子であって、
前記スロット内に挿入される前記相間絶縁部材は、前記周方向に隣接するティース間を跨ぐように周方向に沿って延在し、前記スロット開口部を塞ぐ封止部分と、前記封止部分と前記ヨークの間に径方向に沿って延在し、前記異なる相の固定子巻線間に配置される相間絶縁部分を有することを特徴とする固定子。
【請求項２】
請求項１に記載の固定子であって、
前記相間絶縁部材は、シート状の絶縁材料により一体に形成されており、
前記相間絶縁部材は、前記封止部分の、周方向に沿った一方側の端部と、前記相間絶縁部分の、径方向に沿った回転中心側の端部の間に、前記封止部分と前記相間絶縁部分を接続する接続部分を有していることを特徴とする固定子。
【請求項３】
請求項２に記載の固定子であって、
前記相間絶縁部材は、軸方向に直角な断面がＴ字形状を有していることを特徴とする固定子。
【請求項４】
固定子と、前記固定子に対して空隙を介して回転可能に配置されている回転子を備える回転機であって、
前記固定子として請求項１〜３のうちのいずれか一項に記載の固定子が用いられていることを特徴とする回転機。
【発明の詳細な説明】
【技術分野】
【０００１】
本発明は回転機に用いられる固定子に関し、特に、スロット内に相間絶縁部材が挿入されている固定子に関する。
【背景技術】
【０００２】
永久磁石電動機等の回転機は、固定子と、固定子に空隙（エアギャップ）を介して回転可能に配置された回転子を備えている。固定子のスロットには、固定子巻線が挿入されている。
近年、回転機の出力を向上させるために、スロット内における固定子巻線の占積率が高められている。スロット内における固定子巻線の占積率が高められると、スロット内に挿入されている異なる相の（周方向に隣接するティースそれぞれに巻き付けられている）固定子巻線が接触するおそれがある。このため、異なる相の固定子巻線を絶縁（「相間絶縁」と呼ばれる）する相間絶縁部材がスロット内に挿入されている。相間絶縁部材がスロット内に挿入されている固定子を備える回転機は、例えば、特許文献１に開示されている。図４に、特許文献１に開示されている回転機の要部が示され、図５に、特許文献１に開示されている回転機で用いられている相間絶縁部材が示されている。
特許文献１に開示されている回転機は、固定子２１０と回転子２６０を備えている。固定子２１０は、ヨーク２２１、ティース２２２およびスロット２２５を有する固定子コア２２０により構成されている。スロット２２５内には、ティース２２２に巻き付けられた固定子巻線２４０および相間絶縁部材２５０が挿入されている。
相間絶縁部材２５０は、四角形状を有する絶縁シート２５１を、側縁部２５１ａと２５１ｂの間の折り線２５２ａ、２５２ｂおよび２５２ｃに沿って矢印Ｓ１、Ｓ２およびＳ３で示す方向に折り曲げることによって形成される第１の端部分２５０ａ、第１の中間部分２５０ｂ、第２の中間部分２５０ｃおよび第２の端部分２５０ｄを有し、断面がＴ字形状に形成されている。相間絶縁部材２５０は、スロット開口部２２５ａを塞ぐとともに、異なる相の固定子巻線２４０を絶縁するように配置されている。すなわち、相間絶縁部材２５０のＴ字形状の横部分（第１の端部分２５０ａと第２の端部分２５０ｄ）が、周方向に隣接するティース２２２のティース先端部２２４の端部２２４ｂに対向する位置に周方向に沿って配置され、Ｔ字形状の縦部分（Ｕ字状に折り曲げられた第１の中間部分２５０ｂと第２の中間部分２５０ｃ）は、異なる相の固定子巻線２４０間に径方向に沿って配置されている。
特許文献１に開示されている回転機では、固定子巻線とティース先端部の端部との接触や、異なる相の固定子巻線間の接触等を防止することができる。
また、断面がＴ字形状に形成された相間絶縁部材を用いた回転機は、特許文献２にも開示されている。特許文献２に開示されている回転機では、固定子コアの軸方向両側に、固定子コアのティースに対向する位置に鍔端部を有する、樹脂製のボビンが配置されている。そして、相間絶縁部材のＴ字形状の横部分が、ボビンの鍔端部とステータコアの間に設けられた間隙に挟み込まれるとともに、Ｔ字形状の縦部分が、異なる相の固定子巻線間に配置されている。
特許文献２に開示されている回転機では、ボビンの鍔端部まで固定子巻線を挿入することができるため、固定子巻線の占積率を高めることができる。
【先行技術文献】
【特許文献】
【０００３】
【特許文献１】特開２００４−１１２８６１号公報
【特許文献２】特開２００２−１７１７０４号公報
【発明の概要】
【発明が解決しようとする課題】
【０００４】
特許文献１に開示されている回転機では、異なる相の固定子巻線２４０間に、相間絶縁部材２５０のＴ字形状の縦部分を構成する第１の中間部分２５０ｂと第２の中間部分２５０ｃ、すなわち２枚の絶縁シートが配置されている。また、第１の中間部分２５０ｂと第２の中間部分２５０ｃは、Ｕ字状に折り曲げられているとともに、Ｕ字部分の弾性によって両者の間隔が変更可能に構成されている。このため、相間絶縁部材２５０と固定子巻線２４０との間の空間が狭くなり、当該空間を介して多くの冷却媒体を流すことができないため、固定子巻線２４０の冷却効果が低い。
また、固定子巻線２４０の変形や移動等によって相間絶縁部材２５０が変形する。例えば、第１の中間部分２５０ｂと第２の中間部分２５０ｃの間隔が狭くなり、それに伴って、第１の端部分２５０ａと第２の端部分２５０ｄが、周方向に沿って、互いに接近する方向に移動する。この場合、固定子巻線２４０とティース先端部２２４の端部２２４ｂが接触し、あるいは、相間絶縁部材２５０がスロット開口部２２５ａから抜け出るおそれがある。これを防止する方法として、Ｔ字形状に折り曲げられた相間絶縁部材２５０の周方向に沿った幅（折り曲げられた状態における側縁部２５１ａと２５１ｂ間の間隔）を長くすることが考えられるが、相間絶縁部材２５０のスロット２２５内への挿入作業性等により限界がある。
なお、特許文献２に開示されている回転機では、相間絶縁部材のＴ字形状の横部分は、相間絶縁部材の径方向に沿った外周側の端部をボビンの鍔端部に配置することによって固定子巻線をボビンの鍔端部まで挿入することができるようにするためのものであり、ボビンの鍔端部とステータコアの間に設けられている間隙に挟み込まれる。また、相間絶縁部材によって（Ｔ字形状の横部分を含む）、スロット開口部が塞がれてもいない。このため、特許文献２には、特許文献１に示されている回転機における前述した問題点を解決する手法は開示も示唆もされていない。
本発明は、このような点に鑑みて創案されたものであり、相間絶縁部材と固定子巻線との間の空間を広くして固定子巻線の冷却効果を高めることができるようにするとともに、固定子巻線の変形や移動にともなう相間絶縁部材の変形や移動を抑制することができる技術を提供することを目的とする。
【課題を解決するための手段】
【０００５】
一つの発明は、回転機に用いられる固定子に関する。
本発明の固定子は、固定子コアにより構成されている。固定子コアは、軸方向に直角な断面で見て、周方向に沿って延在するヨークと、ヨークから径方向に沿って回転中心側に延在する複数のティースと、周方向に隣接するティースにより形成されるスロットを有している。スロットは、周方向に隣接するティース間にスロット開口部を有している。スロット内には、固定子巻線と相間絶縁部材が挿入されている。典型的には、ティースは、径方向に沿って延在するティース基部と、ティース基部の回転中心側に設けられたティース先端部を有し、ティース先端部は、回転中心側にティース先端面を有しているとともに、周方向両側に端部を有している。また、ティース先端部の端部の間にスロット開口部が形成される。
相間絶縁部材は、好適には、シート状の絶縁材料により形成される。本発明では、相間絶縁部材は、スロット開口部を塞ぐ封止部分と、異なる相の固定子巻線を絶縁する相間絶縁部分を有している。封止部分は、周方向に沿って延在し、周方向に隣接するティース間（好適には、周方向に隣接するティースのティース先端部の端部間）を跨いで配置されている。相間絶縁部分は、封止部分とヨークの間に径方向に沿って延在し、異なる相の固定子巻線間に配置されている。
本発明では、周方向に沿って延在し、スロット開口部を塞ぐように配置される封止部分と、径方向に沿って延在し、異なる相の固定子巻線間に配置される相間絶縁部分を有する相間絶縁部材を用いているため、相間絶縁部分の厚さを薄くすることができ、相間絶縁部材（相間絶縁部分）と固定子巻線との間の空間を広くすることができる。これにより、相間絶縁部材と固定子巻線との間の空間を介して流れる冷却媒体の量を増加させることができ、固定子巻線の冷却効果を高めることができる。また、固定子巻線の変形や移動による相間絶縁部材の変形や移動を抑制することができる。これにより、固定子巻線とティース先端部の端部との接触や、相間絶縁部材がスロット開口部から抜け出るのを防止することができる。
一つの発明の異なる形態では、相間絶縁部材は、シート状の絶縁材料を折り曲げて一体に形成されている。本形態の相間絶縁部材は、封止部分、相間絶縁部分および接続部分を有している。接続部分は、封止部分の、周方向に沿った一方側の端部と、相間絶縁部分の、径方向に沿った回転中心側の端部を接続する。
本形態では、スロット開口部を塞ぐ封止部分と、異なる相の固定子巻線を絶縁する相間絶縁部分を１枚のシートで形成することができるため、簡単な構成で、相間絶縁部材と固定子巻線との間の空間を広くすることがすることができるとともに、相間絶縁部材の変形や移動を抑制することができる。また、特許文献１に開示されている相間絶縁部材に較べて、絶縁材料の使用量を削減することができる。
一つの発明の他の異なる形態では、相間絶縁部材は、軸方向に直角な断面で見て、Ｔ字形状を有している。
本形態では、絶縁材料の使用量を節減しながら、簡単に相間絶縁部材を形成することができる。
他の発明は、回転機に関する。
本発明の回転機は、固定子と、固定子に対して空隙を介して回転可能に配置されている回転子を備えている。そして、固定子として前述した固定子のいずれかが用いられている。本発明の回転機は、電動機、例えば、磁石挿入孔と、磁石挿入孔に挿入された永久磁石を有する回転子を備える永久磁石電動機や発電機として構成することができる。
本発明の回転機は、前述した固定子と同様の効果を有する。
【発明の効果】
【０００６】
本発明では、相間絶縁部材と固定子巻線との間の空間を広くして固定子巻線の冷却効果を高めることができるとともに、相間絶縁部材の変形や移動を抑制することができる固定子や回転機を提供することができる。
【図面の簡単な説明】
【０００７】
【図１】本発明の回転機の一実施形態の断面図である。
【図２】図１の部分拡大図である。
【図３】本発明の一実施形態の回転機で用いられている相間絶縁部材の斜視図である。
【図４】従来の回転機の断面図である。
【図５】従来の回転機で用いられている相間絶縁部材の斜視図である。
【図６】従来の回転機で用いられている相間絶縁部材の変形状態を説明する図である。
【発明を実施するための形態】
【０００８】
以下に、本発明の実施形態を、図面を参照して説明する。
本明細書では、「軸方向」という記載は、回転子が固定子に対して回転可能に配置されている状態において、回転子（回転軸）の回転中心を通る回転中心線の方向を示す。「周方向」という記載は、回転子が固定子に対して回転可能に配置されている状態において、軸方向に直角な断面でみて、回転中心を中心とする円周方向を示す。「径方向」という記載は、回転子が固定子に対して回転可能に配置されている状態において、軸方向に直角な断面でみて、回転中心を通る方向を示す。
【０００９】
本発明の回転機の一実施形態が、図１、図２に示されている。本実施形態は、永久磁石電動機１００として構成されている。図１は、本実施形態の永久磁石電動機１００を、軸方向と直角な方向から見た断面図であり、図２は、図１の部分拡大図である。
本実施形態の永久磁石電動機１００は、固定子１１０と、固定子１１０に空隙（エアギャップ）Ｇを介して回転可能に配置されている回転子１６０により構成されている。
【００１０】
固定子１１０は、固定子コア１２０、スロット絶縁部材１３０、固定子巻線１４０、相間絶縁部材１５０を有している。
固定子コア１２０は、軸方向に直角な断面でみて、周方向に沿って延在しているヨーク１２１、ヨーク１２１から径方向に沿って回転中心Ｏ側に延在しているティース１２２を有している。ティース１２２は、径方向に沿って延在しているティース基部１２３と、ティース基部１２３の回転中心Ｏ側に設けられ、周方向に沿って延在しているティース先端部１２４を有している。ティース先端部１２４は、回転中心Ｏ側にティース先端面１２４ａが形成されているととともに、周方向に沿った両側に端部１２４ｂを有している。ティース先端面１２４ａは、「固定子の内周面」に対応する。
周方向に隣接するティース１２２によってスロット１２５が形成されている。スロット１２５は、周方向に隣接するティース１２２のティース先端部１２４の端部１２４ｂ間にスロット開口部１２５ａを有している。
スロット１２５内には、スロット１２５の内周面に沿ってスロット絶縁部材１３０が挿入されている。スロット絶縁部材１３０は、絶縁特性を有する樹脂により形成されているとともに、弾性を有するシート（フィルム）により構成されている。シートとしては、例えば、ポリエチレンテレフタレート（ＰＥＴ）、ポリエチレンナフタレート（ＰＥＮ）等により形成されたシートが用いられる。
そして、スロット絶縁部材１３０がスロット１２５内に挿入されている状態で、固定子巻線１４０がティース１２２に巻き付けられる。すなわち、固定子巻線１４０がスロット１２５内に挿入される。固定子巻線１４０をティース１２２に巻き付ける（スロット１２５内に挿入する）方法としては、集中巻き方式や分布巻き方式等が用いられる。本実施形態では、集中巻き方式により、固定子巻線１４０がティース１２２に巻き付けられている。スロット絶縁部材１３０により、固定子巻線１４０と固定子コア１２０が絶縁される。
また、スロット１２５内には、スロット１２５内に挿入されている異なる相の（隣接するティース１２２に巻き付けられている）固定子巻線１４０を絶縁する相間絶縁部材１５０が挿入されている。相間絶縁部材１５０については後述する。
【００１１】
回転子１６０は、回転子コア１７０と回転軸１８０を有している。
回転子コア１７０は、外周面１７１と内周面１７２を有している。回転軸１８０は、内周面１７２により形成される回転軸挿入孔に圧入等によって挿入される。本実施形態では、外周面１７１は、回転中心Ｏを中心点とする円形形状を有している。回転子１６０は、固定子１１０の内周面（ティース先端面１２４ａ）と回転子１６０（回転子コア１７０）の外周面１７１との間に空隙（エアギャップ）Ｇが保持された状態で回転可能に配置されている。
回転子コア１７０は、軸方向に直角な断面で見て、周方向に沿って主磁極と補助磁極が交互に配置されている。各主磁極には磁石挿入孔１７３が形成され、磁石挿入孔１７３には永久磁石１７４が挿入されている。回転中心Ｏと主磁極の周方向中心を結ぶ線によって主磁極のｄ軸が定義され、回転中心Ｏと補助磁極の周方向中心を結ぶ線によって補助磁極のｑ軸が定義される。本実施形態では、磁石挿入孔１７３は、主磁極のｄ軸と直交（「略直交」を含む）する方向に直線状に延在するように形成されている。また、磁石挿入孔１７３には、軸方向に直交する断面が四角形状を有する永久磁石１７４が挿入されている。なお、磁石挿入孔１７３の数、形状や配設位置、永久磁石１７４の形状や数は適宜設定される。また、永久磁石１７４としては、希土類磁石等の種々の永久磁石を用いることができる。
【００１２】
次に、本実施形態で用いられている相間絶縁部材１５０について、図３を参照して説明する。
相間絶縁部材１５０は、絶縁特性を有する樹脂からなり、弾性を有するシート状（フィルム状）の絶縁材料（以下、「絶縁シート」という）１５１を折り曲げることによって形成されている。絶縁シート１５１としては、例えば、ポリエチレンテレフタレート（ＰＥＴ）、ポリエチレンナフタレート（ＰＥＮ）等により形成されたシートが用いられる。
絶縁シート１５１は、側縁部１５１ａおよび１５１ｂ、上縁部１５１ｃ、下縁部１５１ｄにより形成される長方形形状を有している。本実施形態では、相間絶縁部材１５０は、側縁部１５１ａ、１５１ｂが軸方向に沿って延在するようにスロット１２５内に挿入される。
絶縁シート１５１は、側縁部１５１ａと１５１ｂの間に形成される第１の折り線１５２ａと第２の折り線１５２ｂによって、幅Ｌ１の第１の部分１５０ａ、幅Ｌ２の第２の部分１５０ｂ、幅Ｌ３の第３の部分１５０ｃに区分される。
例えば、先ず、第２の部分１５０ｂと第３の部分１５０ｃを、第１の折り線１５２ａに沿って、第１の部分１５０ａに対して矢印Ｒ１で示す回転方向、すなわち、第２の部分１５０ｂと第３の部分１５０ｃが第１の部分１５０ａに近づく第１の回転方向に折り曲げる。次に、第３の部分１５０ｃを、第２の折り線１５２ｂに沿って、第２の部分１５０ｂに対して矢印Ｒ２で示す回転方向、すなわち、第３の部分１５０ｃが第１の部分１５０ａから離れる第２の回転方向に折り曲げる。好適には、第３の部分１５０ｃと第１の部分１５０ａが略直交するように折り曲げられる。
これにより、第１の部分１５０ａによりＴ字形状の横部分が形成され、第３の部分１５０ｃによりＴ字形状の縦部分が形成され、第１の部分１５０ａと第３の部分１５０ｃが第２の部分１５０ｂによって接続されている、断面がＴ字形状を有する相間絶縁部材１５０が形成される。
第１の部分１５０ａが本発明の「封止部分」に対応し、第２の部分１５０ｂが本発明の「接続部分」に対応し、第３の部分１３０ｃが本発明の「相間絶縁部分」に対応する。
【００１３】
本実施形態の相間絶縁部材１５０をスロット１２５内に挿入した状態を、図２を参照して説明する。
絶縁シート１５１を折り曲げることによって形成され、断面がＴ字形状を有する相間絶縁部材１５０は、側縁部１５１ａ、１５１ｂが軸方向に沿って延在するようにスロット１２５内に挿入される。
この時、相間絶縁部材１５０の第１の部分（封止部分）１５０ａは、周方向に隣接する（スロット１２５を形成する）ティース１２２のティース先端部１２４の端部１２４ｂ間を跨ぐように周方向に沿って延在し、スロット開口部１２５ａを塞ぐ位置に配置される。本実施形態では、第１の部分１５０ａの幅Ｌ１は、スロット開口部１２５ａの周方向に沿った幅より長く設定されている。
また、第３の部分（相間絶縁部分）１５０ｃは、第１の部分１５０ａとヨーク１２１の間に径方向に沿って延在し、スロット１２５内に挿入されている、異なる相の（周方向に隣接するティース１２２に巻き付けられている）固定子巻線１４０間に配置される。
なお、相間絶縁部材１５０が、スロット１２５の軸方向両側の開口から抜け出るのを防止する移動防止部材を設けるのが好ましい。例えば、固定子巻線１４０を集中巻き方式でティース１２２に巻き付ける際に、固定子コア１２０の軸方向両側に配置される樹脂製のボビンが移動防止部材として用いられる。
【００１４】
図４に示されている従来の回転機では、異なる相の固定子巻線２４０間に、Ｕ字部分が弾性を有するようにＵ字状に折り曲げられた２枚の絶縁シート（第１の中間部分２５０ｂと第２の中間部分２５０ｃ）が配置されているため、相間絶縁部材２５０と固定子巻線２４０の間の空間が狭くなり、当該空間を介して充分な量の冷却媒体を流すことができない。
これに対し、本実施形態では、図２に示されているように、異なる相の固定子巻線１４０間に、１枚の絶縁シート（第３の部分１５０ｃ）が配置されているため、相間絶縁部材１５０と固定子巻線１４０の間の空間を広くすることができ、当該空間を介して十分な量の冷却媒体を流すことができる。これにより、固定子巻線１４０の冷却効果を高めることができ、回転機の効率を高めることができる。
【００１５】
また、図４に示されている従来の回転機では、Ｕ字状に折り曲げられている第１の中間部分２５０ｂと第２の中間部分２５０ｃを介して接続されている第１の端部分２５０ａと第２の端部分２５０ｄが、周方向に隣接するティース２２２のティース先端部２２４の端部２２４ｂに対向する位置に配置されている。すなわち、第１の端部分２５０ａ、第１の中間部分２５０ｂ、第２の中間部分２５０ｃおよび第２の端部分２５０ｄによってスロット開口部２２５ａが塞がれている。
このため、固定子巻線２４０が変形あるいは移動すると、第１の端部分２５０ａと第２の端部分２５０ｄが、周方向に沿って、両者の間隔が狭くなる方向に移動するおそれがある。
例えば、磁石挿入孔と、磁石挿入孔に挿入された永久磁石を有する回転子を備える永久磁石電動機では、予め着磁した永久磁石を磁石挿入孔に挿入する方法と、永久磁石を磁石挿入孔に挿入した後、固定子巻線に電流を流して永久磁石を着磁する方法（「組み込み着磁」と呼ばれる）が用いられる。予め着磁した永久磁石を磁石挿入孔に挿入する方法は、永久磁石と固定子コアとの間に吸引力が発生するため、永久磁石を磁石挿入孔に挿入する作業が非常に困難である。このため、組み込み着磁方法が用いられることが多い。
一方、組み込み着磁方法を用いて永久磁石を着磁する際には、固定子巻線に応力が作用して固定子巻線が変形あるいは移動することがある。例えば、図６に示されているように、固定子巻線２４０が矢印で示す方向に移動することによって、相間絶縁部材２５０は、図６に破線で示されているように変形する。すなわち、Ｕ次部分が弾性変形して第１の中間部分２５０ｂと第２の中間部分２５０ｃの間の間隔が狭くなり、それにともなって第１の端部分２５０ａと第２の端部分２５０ｂが、周方向に沿って、両者の間隔が狭くなる方向に移動する。
この場合、固定子巻線２４０とティース先端部２２４の端部２２４ｂが接触するおそれがある。あるいは、相間絶縁部材２５０の幅（折り曲げられた状態における側縁部２５１ａと２５１ｂ間の間隔）がスロット開口部２２５ａの周方向に沿った幅より短くなり、相間絶縁部材２５０がスロット開口部２２５ａから抜け出るおそれがある。
これに対し、本実施形態では、図２に示されているように、第１の部分（封止部分）１５０ａが、周方向に隣接するティー先端部１２４の端部１２４ｂ間に跨って配置されており、また、第３の部分（相間絶縁部分）１５０ｃが１枚の絶縁シートで形成されている。これにより、固定子巻線１４０の変形あるいは移動による、第１の部分１５０ａ（封止部分）の周方向に沿った移動が抑制され、固定子巻線１４０とティース先端部１２４の端部１２４ｂとの接触や、相間絶縁部材１５０がスロット開口部１２５ａから抜け出るのを防止することができる。
【００１６】
本発明は、実施形態で説明した構成に限定されず、種々の変更、追加、削除が可能である。
実施形態では、シート状の絶縁材料を折り曲げることによって相間絶縁部材を形成したが、相間絶縁部材は、シート状の絶縁材料以外の種々の絶縁材料により形成することができる。また、シート状の絶縁材料を折り曲げる方法以外の方法により形成することもできる。
相間絶縁部材は、スロット開口部を塞ぐ封止部分と、異なる相の固定子巻線を絶縁する相間絶縁部分を有していればよく、実施形態で説明した構成に限定されない。
実施形態では、永久磁石電動機について説明したが、本発明は、固定子と回転子を備える、永久磁石電動機以外の種々の構成の電動機や発電機として構成することもできる。
本発明は、スロット内に固定子巻線と相間絶縁部材が挿入された固定子として構成することもできる。
実施形態で説明した各構成は、単独で用いることもできるし、適宜選択した複数を組み合わせて用いることもできる。
【符号の説明】
【００１７】
１００  永久磁石電動機
１１０、２１０  固定子
１２０、２２０  固定子コア
１２１、２２１  ヨーク
１２２、２２２  ティース
１２３、２２３  ティース基部
１２４。２２４  ティース先端部
１２４ａ、２２４ａ  ティース先端面（固定子内周面）
１２４ｂ、２２４ｂ  端部
１２５、２２５  スロット
１２５ａ、２２５ａ  スロット開口部
１３０、２３０  スロット絶縁部材
１４０、２４０  固定子巻線
１５０、２５０  相間絶縁部材
１５０ａ  第１の部分（封止部分）
１５０ｂ  第２の部分（接続部分）
１５０ｃ  第３の部分（相間絶縁部分）
１５１、２５１  シート状の絶縁材料（絶縁シート）
１５１ａ、１５１ｂ、２５１ａ、２５１ｂ  側縁部
１５１ｃ、２５１ｃ  上縁部
１５１ｄ、２５１ｄ  下縁部
１５２ａ、１５２ｂ、２５２ａ、２５２ｂ、２５２ｃ  折り線
１６０  回転子
１７０  回転子コア
１７１  外周面（回転子外周面）
１７２  内周面（回転子内周面）
１７３  磁石挿入孔
１７４  永久磁石
１８０  回転軸
２５０ａ  第１の部分（第１の端部分）
２５０ｂ    第２の部分（第１の中間部分）
２５０ｃ  第３の部分（第２の中間部分）
２５０ｄ  第４の部分（第２の端部分）
【図１】
2017093096.tif 000003
【図２】
2017093096.tif 000004
【図３】
2017093096.tif 000005
【図４】
2017093096.tif 000006
【図５】
2017093096.tif 000007
【図６】
2017093096.tif 000008